(57)【要約】【課題】材料が厚く硬い段ボールであっても、包装時の折り曲げに伴い段ボールが割れることがなく、確実かつ容易に開封できる天面開封段ボール箱を提供する。【解決手段】周壁１を形成する端面板１１及び側面板１２の上端にそれぞれ内フラップ１４及び外フラップ１５が連設され、内フラップ１４及び外フラップ１５が内側へ折り曲げられて、天壁２が形成された包装状態とされる段ボール箱において、端面板１１と内フラップ１４に跨って手掛部１８が設けられ、手掛部１８は、端面板１１側の端切片１８ａと内フラップ１４側の天切片１８ｂとが連なって、全周が切目線に囲まれたものとされ、外フラップ１５には、その基部の側面板１２との境界の罫線より天面側に離れた位置に破断線２０が入れられ、側端から破断線２０に至る切欠部２２が設けられたものとする。【選択図】図４
2017218175.tif 000002
【特許請求の範囲】
【請求項１】
周壁(1)を形成する端面板(11)及び側面板(12)の上端に、それぞれ内フラップ(14)及び外フラップ(15)が連設され、端面板(11)に手掛部(18)が設けられ、外フラップ(15)に両側端間に及ぶ破断線(20)が入れられ、
内フラップ(14)及び外フラップ(15)が内側へ折り曲げられて、内フラップ(14)に外フラップ(15)が重ね合わされ、天壁(2)が形成された包装状態とされ、
手掛部(18)に手を掛け、天壁(2)を上方へ引っ張って破断線(20)を破断させることにより、外フラップ(15)を切り取って天面を開口させる天面開封段ボール箱において、
前記外フラップ(15)の破断線(20)は、その基部の側面板(12)との境界の罫線より天面側に離れた位置に入れられていることを特徴とする天面開封段ボール箱。
【請求項２】
前記手掛部(18)は、端面板(11)と内フラップ(14)に跨り、端面板(11)側の端切片(18a)と内フラップ(14)側の天切片(18b)とが連なって、全周が切目線に囲まれたものとされていることを特徴とする請求項１に記載の天面開封段ボール箱。
【請求項３】
前記外フラップ(15)には、その側端から基部の破断線(20)に至る切欠部(22)が設けられていることを特徴とする請求項１又は２に記載の天面開封段ボール箱。
【発明の詳細な説明】
【技術分野】
【０００１】
この発明は、開封に際し、破断線の破断に伴い天面を開口させる天面開封段ボール箱に関するものである。
【背景技術】
【０００２】
下記特許文献１には、図６に示すように、周壁５１の各面を形成する端面板６１及び側面板６２の上端にそれぞれ内フラップ６３及び外フラップ６４が連設され、内フラップ６３と外フラップ６４とを内側へ折り曲げて重ね合わせ、外フラップ６４の先端同士を突き合わせて、テープ等で固定することにより、天壁５２が形成された包装状態とする段ボール箱において、天面を開口させて開封するものが記載されている。
【０００３】
この段ボール箱では、端面板６１の上部に、切目線と内フラップ６３との境界の罫線で区画された手掛部６５が設けられている。
【０００４】
そして、手掛部６５から内フラップ６３と端面板６１の境界に沿って内フラップ６３の両側端へ至る破断線７１と、外フラップ６４と側面板６２の境界全長に沿う破断線７２とが入れられている。破断線７１，７２は、段ボールを裏面側から押圧した押罫線に断続する鉤状の切目を刻設したジッパー型のものとされている。
【０００５】
また、天壁５２の四隅部分において、内フラップ６３及び外フラップ６４には、破断線７１，７２に対して斜めに延びる山折補助罫線７３が重なり合うように入れられ、山折補助罫線７３は、段ボールの裏面側から押圧した押罫線とミシン目状の切目とが断続するリード罫とされている。
【０００６】
この段ボール箱を開封する際には、手掛部６５を押し込み、手掛部６５に手を掛けて天壁５２を上方へ引っ張ることにより、破断線７１，７２を破断させ、天壁５２を手掛部６５と共に除去する。この際、天壁５２は、内フラップ６３及び外フラップ６４の山折補助罫線７３に沿って手掛部６５側が持ち上げられるように撓み、これに伴い、破断線７１，７２が連続的に破断する。
【先行技術文献】
【特許文献】
【０００７】
【特許文献１】登録実用新案第３２００７１６号公報
【発明の概要】
【発明が解決しようとする課題】
【０００８】
しかしながら、上記のような段ボール箱では、材料の段ボールが厚く硬い場合、封緘に際し、内フラップ６３及び外フラップ６４を内側へ折り曲げると、破断線７１，７２に沿って段ボールが割れ、包装強度が損なわれる恐れがある。
【０００９】
また、開封に際し、天壁５２を上方へ引っ張ったとき、段ボールが端面板６１と内フラップ６３の境界の破断線７１から逸れて破れ、側面板６２と外フラップ６４の境界の破断線７２へ破断が達しなくなり、開封が困難になる恐れがある。
【００１０】
そこで、この発明は、材料が厚く硬い段ボールであっても、包装時の折り曲げに伴い段ボールが割れることがなく、確実かつ容易に開封できる天面開封段ボール箱を提供することを課題とする。
【課題を解決するための手段】
【００１１】
上記のような課題を解決するため、この発明は、周壁を形成する端面板及び側面板の上端に、それぞれ内フラップ及び外フラップが連設され、端面板に手掛部が設けられ、外フラップに両側端間に及ぶ破断線が入れられ、
内フラップ及び外フラップが内側へ折り曲げられて、内フラップに外フラップが重ね合わされ、天壁が形成された包装状態とされ、
手掛部に手を掛け、天壁を上方へ引っ張って破断線を破断させることにより、外フラップを切り取って天面を開口させる天面開封段ボール箱において、
前記外フラップの破断線は、その基部の側面板との境界の罫線より天面側に離れた位置に入れられているものとしたのである。
【００１２】
また、前記手掛部は、端面板と内フラップに跨り、端面板側の端切片と内フラップ側の天切片とが連なって、全周が切目線に囲まれたものとしたのである。
【００１３】
さらに、前記外フラップには、その側端から基部の破断線に至る切欠部が設けられているものとしたのである。
【発明の効果】
【００１４】
この発明に係る天面開封段ボール箱では、包装時に内フラップ及び外フラップを内側へ折り曲げて封緘する際、これらを破断線に沿って折り曲げるのではなく、通常どおり端面板及び側面板との境界の罫線に沿って折り曲げるため、材料が厚く硬い段ボールであっても、破断線の切目が原因となって段ボールが割れることがない。
【００１５】
また、開封に際し、手掛部の端切片を押し込み、天壁を引き上げて反対側へ捲るように引っ張ると、手掛部の端切片と天切片とが重なり合った状態で、手掛部の全体が端面板及び内フラップから分離するので、内フラップを天壁の引張方向と交差する方向へ破断させて切り取る必要がなく、軽い力で確実に開封することができる。
【００１６】
さらに、外フラップの側端から破断線に至る切欠部が設けられていることにより、開封の初期段階において、天壁の引張力が外フラップの破断線の始端部に対し破断の進行方向へ効率よく作用するので、引張方向をあまり意識しなくても、外フラップを破断線に沿って容易に切断し始めることができ、開封時の作業性が向上する。
【図面の簡単な説明】
【００１７】
【図１】この発明の実施形態に係る天面開封段ボール箱のブランクを示す図
【図２】同上の包装状態を示す斜視図
【図３】同上の開封過程を示す斜視図
【図４】同上の開封過程を示す斜視図
【図５】同上の天面開口状態を示す斜視図
【図６】特許文献１記載の天面開封段ボール箱の開封過程を示す斜視図
【発明を実施するための形態】
【００１８】
以下、この発明の実施形態を図１〜図５に基づいて説明する。
【００１９】
図１にブランクで示す段ボール箱は、いわゆるＡ式（JIS Z 1507の02形式）と呼ばれる溝切形である。ブランクの材料である段ボールは、Ａフルート等の厚いものとされ、表ライナと裏ライナの間に波状の中芯が挟まれた構造であり、これらの原紙は引裂強度の大きい上質のものとされている。段ボールの中芯の段頂が延びる方向である段目は、ブランクの縦方向に向けられている。
【００２０】
このブランクでは、周壁１を形成する各一対の端面板１１及び側面板１２が横方向に交互に連設され、一方の側面板１２の外側端には継代片１３が連設されている。各一対の端面板１１及び側面板１２の上端には、天壁２を形成する内フラップ１４及び外フラップ１５がそれぞれ連設され、各一対の端面板１１及び側面板１２の下端には、底壁３を形成する内フラップ１６及び外フラップ１７がそれぞれ連設されている。
【００２１】
一対の端面板１１と内フラップ１４の境界の罫線を挟んだ中間部には、端面板１１と内フラップ１４に跨って手掛部１８が設けられている。手掛部１８は、端面板１１側の端切片１８ａと内フラップ１４側の天切片１８ｂとが連なって、全周がミシン目の切目線に囲まれたものとされている。
【００２２】
端切片１８ａの下端に臨む部分には、下部の折目線をヒンジとする舌片状の押込部１９が切目線を入れて設けられている。
【００２３】
一対の外フラップ１５の基部には、側面板１２との境界の罫線から少し離れて、この境界の罫線と平行に両側端間に及ぶ破断線２０が入れられている。また、一対の内フラップ１４の基部にも、端面板１１との境界の罫線から少し離れて、この境界の罫線と平行に両側端間に及ぶ破断線２１が入れられている。破断線２０，２１は、切目が断続した直線のミシン目から成るものとされている。
【００２４】
また、一対の外フラップ１５の両側端には、破断線２０に至る切欠部２２が設けられている。切欠部２２は、開口側の幅が側面板１２との境界から離れた方向へ広がった三角状とされ、破断線２０へかけて幅が狭くなっている。
【００２５】
上記のようなブランクは、使用に先立って、端面板１１と側面板１２の境界の罫線に沿って折り重ね、継代片１３を反対側の端面板１１の側端部に貼り付けることにより、偏平な折畳状態としておく。
【００２６】
そして、物品を包装する際には、図２に示すように、各一対の端面板１１及び側面板１２から四角筒状の周壁１を形成し、下方の内フラップ１６及び外フラップ１７を順次内側へ折り曲げて重ね合わせ、外フラップ１７の先端同士を突き合わせて、テープＴ等で固定することにより底壁３を形成する。
【００２７】
その後、箱内に物品を挿入し、上方の内フラップ１４及び外フラップ１５を順次内側へ折り曲げて重ね合わせ、外フラップ１５の先端同士を突き合わせて、テープＴ等で固定することにより天壁２を形成すると、封緘された包装状態となる。
【００２８】
この封緘に際して、内フラップ１４及び外フラップ１５は、破断線２０，２１に沿って折り曲げるのではなく、通常どおり端面板１１及び側面板１２との境界の罫線に沿って折り曲げるため、材料が厚く硬い段ボールであっても、破断線２０，２１の切目が原因となって段ボールが割れることがない。
【００２９】
上記のように封緘した段ボール箱を開封する際には、まず、図３に示すように、一方の端面側の押込部１９を押し込み、手掛部１８の端切片１８ａを押し込んで、手掛部１８に手を掛け、天壁２を引き上げつつ反対側へ引っ張る。
【００３０】
これに伴い、手掛部１８の端切片１８ａと天切片１８ｂとが重なり合った状態で、手掛部１８の全体が一方の端面板１１及び内フラップ１４から分離すると共に、外フラップ１５の一側端の切欠部２２から破断線２０が破断し始める。
【００３１】
次に、図４に示すように、破断線２０が長さ方向の半分程度破断した状態で、上記と同様に、他方の端面側の手掛部１８に手を掛け、天壁２を引き上げて反対側へ引っ張ると、外フラップ１５の他側端の切欠部２２から破断線２０が破断し始め、破断線２０が全長に亘り破断して、外フラップ１５が切り取られる。
【００３２】
これにより、図５に示すように、天面の中間部が開口した開封状態となるので、残存した内フラップ１４を開き、天面を全面的に開口させて、物品を箱内から取り出す。
【００３３】
上記のような段ボール箱では、開封過程において、破断線２０を破断する際、手掛部１８の端切片１８ａと天切片１８ｂとが重なり合い、手掛部１８の全体が端面板１１及び内フラップ１４から分離するので、内フラップ１４を天壁２の引張方向と交差する方向へ破断させて切り取る必要がなく、軽い力で確実に開封することができる。
【００３４】
また、外フラップ１５の側端から破断線２０に至る切欠部２２が設けられていることにより、開封の初期段階において、天壁２の引張力が破断線２０の始端部に対し破断の進行方向へ効率よく作用するので、引張方向をあまり意識しなくても、外フラップ１５を破断線２０に沿って容易に切断し始めることができ、開封時の作業性が向上する。
【００３５】
なお、上記実施形態では、段ボール製造装置であるコルゲートマシンのスリッタスコアラにおいて、ミシン目形成装置の回転する円盤状のナイフにより破断線２０，２１が連続的に入れられたものを例示しているが、別途抜型で加工する場合には、機能上不要な内フラップ１４の破断線２１は省略すればよい。
【００３６】
また、破断線２０が直線のミシン目であるものを例示しているが、別途抜型で加工する場合には、破断線２０は鉤状の切目が断続するジッパー型のものとしてもよい。
【００３７】
また、テープＴで封緘するものを例示しているが、ホットメルト等の接着剤により封緘するようにしてもよい。その場合、手掛部１８の天切片１８ｂと外フラップ１５とが貼り合わされていればよい。
【００３８】
そのほか、周壁１の両端面をなす一対の端面板１１から内フラップ１４にかけて手掛部１８が設けられたものを例示しているが、周壁１のいずれか一方の端面をなす端面板１１から内フラップ１４にかけてのみ手掛部１８を設けるようにしてもよい。
【符号の説明】
【００３９】
１  周壁
２  天壁
３  底壁
１１  端面板
１２  側面板
１３  継代片
１４  内フラップ
１５  外フラップ
１６  内フラップ
１７  外フラップ
１８  手掛部
１８ａ  端切片
１８ｂ  天切片
１９  押込部
２０，２１  破断線
２２  切欠部
Ｔ  テープ
【図１】
2017218175.tif 000003
【図２】
2017218175.tif 000004
【図３】
2017218175.tif 000005
【図４】
2017218175.tif 000006
【図５】
2017218175.tif 000007
【図６】
2017218175.tif 000008